(57)【要約】【課題】  本発明は、緊急事態が発生したときに容易かつ確実に通報する。【解決手段】  利用者による所定数のキーの操作に応じてキーに割り当てられている機能を認識し、相手の端末との間で無線通信を行う携帯端末装置において、予め設定された時間になると、制御部１９は自動的にキーアサインを簡易通報モードのキーアサインを変更し、緊急事態が発生したときにユーザによって通報キーが押下されたとき、音声、メール、アラーム等の手段のうちの少なくとも一つの手段を用いて緊急事態を相手に通報する。【選択図】      図１
2006268713.tif 000002
【特許請求の範囲】
【請求項１】
利用者による所定数のキーの操作に応じてキーに割り当てられている機能を認識する機能認識部と、相手の端末との間で無線通信を行う無線通信部とを備えた携帯端末装置であって、
特定の条件が成立したときに、前記所定数のキーのうちの全部または一部の特定キーに割り当てられている機能を、利用者が緊急事態が発生していることを通報する緊急通報処理の起動機能に変更するキー割当変更手段と、
このキー割当変更手段により前記特定キーに対する機能の割り当てが変更された後に前記特定キーが利用者によって操作されたとき、前記機能認識部により前記緊急通報処理の起動が認識されたことにもとづいて、緊急事態が発生していることを示す緊急情報を通報する緊急情報通報手段とを備えた
ことを特徴とする携帯端末装置。
【請求項２】
アラーム音を鳴動させるアラーム鳴動手段と、
映像を撮影する撮影手段とを備え、
無線通信部は、
相手の端末と音声情報を送受信する音声情報送受信手段と、
相手の端末とメールを送受信するメール送受信手段と、
相手の端末と音声情報および前記撮影手段により撮影された映像情報を送受信する音声・映像情報送受信手段とを含み、
緊急情報通報手段は、アラーム鳴動手段、音声情報送受信手段、メール送受信手段および音声・映像情報送受信手段のうちの少なくとも１つの手段を用いて緊急情報を通報する
請求項１記載の携帯端末装置。
【請求項３】
緊急情報通報手段は、緊急情報を通報するために相手の端末に発信したにもかかわらず前記相手の端末からの応答がないときは、前記相手の端末からの応答があるまで再度発信する
請求項１または請求項２記載の携帯端末装置。
【請求項４】
緊急情報通報手段は、音声・映像情報送受信手段を用いて音声情報および映像情報を緊急情報として通報するために相手の端末に発信したにもかかわらず前記相手の端末からの応答がないときは、撮影手段により撮影された映像情報をメールに添付してメール送受信手段を用いて前記メールを緊急情報として相手の端末に送信する
請求項２または請求項３記載の携帯端末装置。
【請求項５】
現在の位置情報を取得する位置情報取得手段を備え、
緊急情報通報手段は、前記位置情報取得手段により取得された位置情報を緊急情報に含めて通報する
請求項１から請求項４のうちのいずれかに記載の携帯端末装置。
【請求項６】
特定の条件は、予め設定された時間帯になっているときに成立する
請求項１から請求項５のうちのいずれかに記載の携帯端末装置。
【請求項７】
特定の条件は、予め設定された時間帯になっており、かつ、位置情報取得手段により取得された位置情報の示す位置が予め設定された所定エリアであるときに成立する
請求項５記載の携帯端末装置。
【請求項８】
相手の端末との間で無線通信を行う無線通信機能を備えた携帯端末装置に設けられている制御手段が記憶手段に記憶された制御プログラムに従って、
特定の条件が成立したときに、利用者によって操作される所定数のキーのうちの全部または一部の特定キーに割り当てられている機能を、利用者が緊急事態が発生していることを通報する緊急通報処理の起動機能に変更し、
前記特定キーに対する機能の割り当てが変更された後に前記特定キーが利用者によって操作されたとき、前記緊急通報処理の起動を認識し、
前記緊急通報処理の起動を認識したことにもとづいて、緊急事態が発生していることを示す緊急情報を通報する
ことを特徴とする緊急通報方法。
【発明の詳細な説明】
【技術分野】
【０００１】
本発明は、緊急事態が発生したときに、所定の相手に緊急事態が発生したことを通報可能な携帯端末装置および緊急通報方法に関する。
【背景技術】
【０００２】
犯罪の増加、多様化が問題になっている今日においては、突然襲われたり、何らかの事件に巻き込まれたり、目の前で事件が起こることを想定しておかなければならない。このように、自分自身が被害に遭ったときや事件に遭遇したときに、緊急事態の状況を誰かに通報する手段が必要となる。
【０００３】
下記の特許文献１には、相手に電気ショックを与えるスタンガン機能や、警報音を鳴らす防犯ブザー機能、非常時のストロボ発光機能、音声出力機能、アラーム機能などの防犯機能を備えた携帯型のカメラが開示されている。
【０００４】
また、下記の特許文献２には、緊急通報信号が与えられると、制御手段は、現在位置情報、ユーザの個人情報、緊急事態用のメッセージ、撮影した静止画を通信手段に出力し、通信手段は、これらの情報のうちの何れかを予め記憶されているメールアドレス先に送信する携帯電話機が開示されている。
【０００５】
【特許文献１】特開２００２−１３５６３７号公報
【特許文献２】特開２００４−３５５５３９号公報
【発明の開示】
【発明が解決しようとする課題】
【０００６】
ところで、自分自身が被害に遭ったときや事件に遭遇したときに、誰かに緊急事態を知らせたいと思っても、普通の人は、通常、パニックになってしまう（うろたえてしまう）。冷静に現場の状況を携帯電話で連絡できる人はそうはいない。そのような精神状態では、通報するという当たり前の行為が困難になることが考えられる。
【０００７】
そこで、本発明は、上記のような課題を解決するためになされたものであり、緊急事態が発生したときに容易かつ確実に通報することができる携帯端末装置および緊急通報方法を提供することを目的とする。
【課題を解決するための手段】
【０００８】
以上の目的を達成するため、本発明による携帯端末装置は、利用者による所定数のキーの操作に応じてキーに割り当てられている機能を認識する機能認識部と、相手の端末との間で無線通信を行う無線通信部とを備えた携帯端末装置であって、特定の条件が成立したときに、所定数のキーのうちの全部または一部の特定キーに割り当てられている機能を、利用者が緊急事態が発生していることを通報する緊急通報処理の起動機能に変更するキー割当変更手段と、このキー割当変更手段により特定キーに対する機能の割り当てが変更された後に特定キーが利用者によって操作されたとき、機能認識部により緊急通報処理の起動が認識されたことにもとづいて、緊急事態が発生していることを示す緊急情報を通報する緊急情報通報手段とを備えたことを特徴とする。
【０００９】
アラーム音を鳴動させるアラーム鳴動手段と、映像を撮影する撮影手段とを備え、無線通信部は、相手の端末と音声情報を送受信する音声情報送受信手段と、相手の端末とメールを送受信するメール送受信手段と、相手の端末と音声情報および撮影手段により撮影された映像情報を送受信する音声・映像情報送受信手段とを含み、緊急情報通報手段は、アラーム鳴動手段、音声情報送受信手段、メール送受信手段および音声・映像情報送受信手段のうちの少なくとも１つの手段を用いて緊急情報を通報するように構成されていてもよい。
【００１０】
緊急情報通報手段は、緊急情報を通報するために相手の端末に発信したにもかかわらず相手の端末からの応答がないときは、相手の端末からの応答があるまで再度発信するように構成されていてもよい。
【００１１】
緊急情報通報手段は、音声・映像情報送受信手段を用いて音声情報および映像情報を緊急情報として通報するために相手の端末に発信したにもかかわらず相手の端末からの応答がないときは、撮影手段により撮影された映像情報をメールに添付してメール送受信手段を用いてメールを緊急情報として相手の端末に送信するように構成されていてもよい。
【００１２】
現在の位置情報を取得する位置情報取得手段を備え、緊急情報通報手段は、位置情報取得手段により取得された位置情報を緊急情報に含めて通報するように構成されていてもよい。
【００１３】
特定の条件は、予め設定された時間帯になっているときに成立するとしてもよい。
【００１４】
特定の条件は、予め設定された時間帯になっており、かつ、位置情報取得手段により取得された位置情報の示す位置が予め設定された所定エリアであるときに成立するとしてもよい。
【００１５】
また、本発明による緊急通報方法は、相手の端末との間で無線通信を行う無線通信機能を備えた携帯端末装置に設けられている制御手段が記憶手段に記憶された制御プログラムに従って、特定の条件が成立したときに、利用者によって操作される所定数のキーのうちの全部または一部の特定キーに割り当てられている機能を、利用者が緊急事態が発生していることを通報する緊急通報処理の起動機能に変更し、特定キーに対する機能の割り当てが変更された後に特定キーが利用者によって操作されたとき、緊急通報処理の起動を認識し、緊急通報処理の起動を認識したことにもとづいて、緊急事態が発生していることを示す緊急情報を通報することを特徴とする。
【発明の効果】
【００１６】
以上のように、本発明では、特定の条件が成立したときに、利用者によって操作される所定数のキーのうちの全部または一部の特定キーに割り当てられている機能を、利用者が緊急事態が発生していることを通報する緊急通報処理の起動機能に変更し、特定キーに対する機能の割り当てが変更された後に特定キーが利用者によって操作されたとき、緊急通報処理の起動を認識し、緊急通報処理の起動を認識したことにもとづいて、緊急事態が発生していることを示す緊急情報を通報するように構成されているので、ユーザは緊急事態が発生した場合に特定キーを操作するだけで緊急事態の通報を行うことができるため、容易かつ確実に通報することができることになる。また、緊急通報を行うための特別なキーや装置を設ける必要がないので、安価に実現することができる。
【００１７】
また、アラーム音を鳴動させるアラーム鳴動手段と、映像を撮影する撮影手段とを備え、無線通信部が、相手の端末と音声情報を送受信する音声情報送受信手段と、相手の端末とメールを送受信するメール送受信手段と、相手の端末と音声情報および撮影手段により撮影された映像情報を送受信する音声・映像情報送受信手段とを含み、緊急情報通報手段が、アラーム鳴動手段、音声情報送受信手段、メール送受信手段および音声・映像情報送受信手段のうちの少なくとも１つの手段を用いて緊急情報を通報するように構成することによって、より確実に相手に緊急事態の発生を通報することができるようになる。
【００１８】
また、緊急情報通報手段が緊急情報を通報するために相手の端末に発信したにもかかわらず相手の端末からの応答がないときは、相手の端末からの応答があるまで再度発信するように構成することによって、緊急事態の発生を一層確実に相手に通報することができるようになる。
【００１９】
また、緊急情報通報手段が音声・映像情報送受信手段を用いて音声情報および映像情報を緊急情報として通報するために相手の端末に発信したにもかかわらず相手の端末からの応答がないときは、撮影手段により撮影された映像情報をメールに添付してメール送受信手段を用いてメールを緊急情報として相手の端末に送信するように構成することによって、現場の状況を視覚的に確実に相手に伝えることができるとともに、犯人を特定するときの強力な証拠にもなり得る。
【００２０】
また、現在の位置情報を取得する位置情報取得手段を備え、緊急情報通報手段が位置情報取得手段により取得された位置情報を緊急情報に含めて通報するように構成することによって、通報を受けた相手が容易に駆けつけることができる。
【００２１】
また、特定の条件を予め設定された時間帯になっていることにした場合は、設定し忘れを確実に防止することができる。また、特定の条件を予め設定された時間帯になっており、かつ、位置情報取得手段により取得された位置情報の示す位置が予め設定された所定エリアであるとした場合は、設定し忘れを確実に防止することができるとともに、利用者により誤操作される可能性を低減させることができる。
【発明を実施するための最良の形態】
【００２２】
以下、本発明の実施の一形態を図面を参照して説明する。
【００２３】
実施の形態１．
図１は、本発明の携帯端末装置の構成を示す機能ブロック図である。この実施の形態では、携帯端末装置として携帯電話機を想定して説明する。しかし、携帯電話機に限られるわけではなく、ＰＨＳや無線通信機能を有するＰＤＡなどの携帯用情報機器、無線通信機能を有するゲーム機器、無線通信機能を有するオーディオ機器であってもよい。
【００２４】
図１に示すように、本発明の携帯端末装置は、操作部１１、表示部１２、報知部１３、ＧＰＳ１４、カメラ１５、送受信部１６、メモリ１７、マイク１８および制御部１９を備えている。
【００２５】
図１に示す構成において、操作部１１は、ユーザ（利用者）が情報を入力したり所定の機能（処理）を選択する際に、ユーザによる操作を受け付ける所定数（１または２以上の）のキーまたはボタンである。携帯電話機の場合は、機種によっても異なるが、ダイヤルキー（テンキー）や選択キー、決定キー、送信キー（開始キー）などが操作部１１にあたる。ユーザによって操作部１１が操作されると、例えば電極が接触して電気信号を制御部１９に出力する。制御部１９は、操作部１１からの電気信号によって所定のキーが操作されたことを認識する。表示部１２は、所定情報を画面に表示するディスプレイである。携帯電話機の場合は、一般に液晶ディスプレイ（ＬＣＤ）が用いられている。
【００２６】
報知部１３は、音声出力を行うスピーカや振動するバイブレータである。ＧＰＳ（全地球測位システム；Global Positioning System ）１４は、人工衛星を利用して自分が地球上のどこにいるのか（すなわち現在位置）を正確に割り出すシステムである。このようにＧＰＳ機能を備えた携帯電話機のことをＧＰＳ携帯と呼ばれている。ＧＰＳ１４は、携帯電話機（すなわちユーザ）の現在の位置情報を取得し、取得した位置情報を制御部１９に出力する。制御部１９は、ＧＰＳ１４からの位置情報によって現在位置を認識する。カメラ１５は、人や風景などを撮影する。なお、カメラ機能付き携帯電話機の中でも、静止画しか撮影できないものと動画も撮影可能なものとがあるが、この実施の形態では動画（映像）も撮影可能な携帯電話機を想定している。動画撮影機能の付いた携帯電話機では、インターネットなどの通信ネットワークを介して音声と動画（映像）を相手に伝達（通信）可能なＴＶ電話（テレビ電話）として使用できる。
【００２７】
送受信部１６は、基地局を介して無線通信でデータの送受信を行う。送受信部１６には、音声データを相手の端末と送受信する音声通話機能と、電子メールを相手の端末と送受信するメール送受信機能とが含まれている。さらに、動画撮影機能の付いた携帯電話機の場合は、音声データおよびカメラ１５によって撮影された映像データを相手の端末と送受信するＴＶ電話機能（音声・映像送受信機能）も含まれる。メモリ１７は、携帯端末装置の動作に必要な制御プログラムや、携帯端末装置の設定情報、ユーザの個人情報、アドレス帳の情報、カメラ１５の撮影画像などを記憶し保持する。メモリ１７は、例えばフラッシュメモリが利用される。マイク１８は、音声を音声データに変換して入力する。制御部１９は、上記した携帯端末装置の各部の動作をメモリ１７に記憶されている制御プログラムに従って制御する。
【００２８】
次に、本発明の携帯端末装置の動作について図２から図６を参照して説明する。
【００２９】
図２は、簡易通報モードの設定手順を示すフローチャートである。ここで、簡易通報モードとは、後述するようにユーザによる簡単なキー操作で緊急事態の通報を行うことが可能なモードである。ユーザが、操作部１１を操作することにより、例えば携帯端末装置の機能を選択するメニューから簡易通報モードの設定を起動すると（ステップＳ１１）、簡易通報モードのＯＮ／ＯＦＦ（設定または解除）の切り替えを行うための画面が表示部１２に表示される。デフォルト（標準設定）では、「ＯＦＦ」に設定されている。ユーザは、操作部１１を操作することにより、簡易通報モードの設定を「ＯＮ」に切り替えて選択すると、簡易通報モードの設定が変更されて（ステップＳ１２のＹｅｓ）、簡易通報モードがＯＮに設定される（ステップＳ１３）。
【００３０】
簡易通報モードがＯＮに設定されると、簡易通報モードの詳細設定の画面が表示部１２に表示される。ユーザが、詳細設定の内容をデフォルトの内容から変更しない場合は（ステップＳ１４のＮｏ）、そのまま簡易通報モードの設定を終了する。ユーザが、詳細設定の内容をデフォルトの内容から自分仕様にカスタマイズしたい場合は（ステップＳ１４のＹｅｓ）、表示部１２を操作して詳細設定の内容を変更する（ステップＳ１５）。詳細設定の内容については図３および図４に示す。
【００３１】
図３は、実施の形態１における簡易通報モードの詳細設定の内容を示す樹形図である。また、図４は、実施の形態１における簡易通報モードの詳細設定のデフォルト値を示す説明図である。図３に示すように、簡易通報モードの詳細設定の内容には、「時間帯設定」「通信種類設定」「アラーム設定」および「モード起動キー」の４つが設けられている。
【００３２】
「時間帯設定」では、簡易通報モードの起動時間の範囲が設定される。図４に示すように、デフォルト値は、２２時から２４時が設定されている。「通信種類設定」では、通報する際に利用される通信の種類、つまり、「音声（音声通話）」または「メール」あるいはその両方を利用して通報するかどうかが設定される。図４に示すように、デフォルト値は、「音声」および「メール」のいずれもＯＮに設定されている。
【００３３】
「通信種類設定」において「音声」および「メール」の少なくともいずれか一方がＯＮに設定されている場合は、ＯＮに設定されている音声またはメールあるいはその両方の送信先が「送信先設定」にて設定可能になる。図４に示すように、デフォルト値は、「音声」については警察の電話番号が設定され、「メール」については同報送信が可能なため警察と自宅のメールアドレスが設定されている。なお、「メール」については同報送信可能な件数まで送信先であるメールアドレスを追加設定することができる。
【００３４】
また、「音声」および「メール」の少なくともいずれか一方がＯＮに設定されている場合は、ＯＮに設定されている音声またはメールあるいはその両方の送信メッセージが「送信メッセージ設定」にて設定可能になる。図４に示すように、「音声」についてのデフォルト値は、最初に「［位置情報］で事件発生！」が自動的に音声出力（通知）され、その後にユーザが任意に話す声や周りの音が音声出力される。なお、［位置情報］は、ＧＰＳ１４によって取得されたユーザが現在いる場所の［位置情報］である。また、音声通話の場合は、一般にマイク１８の至近距離からの音があるとそちらが優先されるが、そのような音が感知されたか否かに関係なく位置情報だけは最初に音声出力される。また、マイク１８の至近距離からの音が感知できないときは予め設定されている定型のメッセージを自動的に音声出力するように構成されていてもよい。このように定型メッセージを自動的に音声出力を行うことにより、電話を受けた相手がいたずら電話と区別することが可能になる。
【００３５】
図４に示すように、「メール」についてのデフォルト値は、ＧＰＳ１４によって取得された位置情報とユーザが予め設定しておいたメッセージとが送信（通知）される。また、メールに開封確認通知を付して送信される。ここで、開封確認通知は、メールが相手に届いたときに、相手がメールを開封すると開封確認通知メールが自動的に作成されて送信者に返信されるサービスである。
【００３６】
「アラーム設定」では、緊急事態の通報時のアラーム音が設定される。図４に示すように、「音量」のデフォルト値は、最大音量に設定されている。また、「アラーム音選択」のデフォルト値は、「火事だぁ〜」の音声が設定されている。アラーム音が着信音と似たような音（メロディや機械音）であると、携帯電話機の着信音と間違えられてなかなか気付いてもらえないおそれがあるので、上記のようにアラーム音を緊急事態を通知するような内容の音声にしている。なお、「助けて〜」などの音声に変更することも可能である。また、ユーザがマイク１８を通して録音した音声に変更することも可能である。
【００３７】
「モード起動キー」では、操作部１１における複数のキーのうち、ユーザが緊急事態を通報するために押下（操作）する通報キーとして簡易通報モードの切替時に割り当てられる所定のキーが設定される。所定の設定時間になったことによって簡易通報モードに切り替えられているときに、ユーザによって所定の通報キーが押されると、音声通話、メール、アラームのうちの少なくとも１つの手段によって緊急事態の通報が行われる。図４に示すように、デフォルト値は、「エニーキー」とされている。すなわち、素早く確実に通報を行うことができるように、どのキー（ボタン）を押しても通報が可能になる。ただし、エニーキーに設定されていると、誤操作の可能性が高くなってしまうため（緊急事態でないのに誤ってキーが押されて通報されてしまうおそれが高いため）、ユーザが予め決めた１つまたは２つ以上のキー（ユーザキー）を通報キーとして設定することも可能である。例えば、ユーザが最も押し易いと思う送信キーや決定キーなどが設定される。なお、折り畳み式の携帯電話機であれば、通報キーがエニーキー（携帯電話機の側面に設けられているキーを除く）に設定されていても、折り畳んだ状態では操作部１１が外部に露出していないため誤操作される可能性が低いと考えられる。
【００３８】
以上のような簡易通報モードの詳細設定は、携帯端末装置のユーザの利用状況に応じて行われる。例えば、ユーザの帰宅時間にあわせて「時間帯設定」が設定されたり、子供が親（例えば親の携帯電話機）に容易に現在地を知らせることができるように親の携帯電話機の電話番号やメールアドレスが「送信先設定」で設定されたりする。
【００３９】
次に、簡易通報モードへの自動切替について説明する。図５は、簡易通報モードへの自動切替の処理を示すフローチャートである。携帯端末装置の制御部１９は、簡易通報モードがＯＮに設定されている場合は、「時間帯設定」において予め設定された時間帯であるかどうかを常に確認している（ステップＳ２１）。予め設定された時間になると（ステップＳ２１のＹｅｓ）、制御部１９は簡易通報モードを起動する（ステップＳ２２）。そして、制御部１９は、携帯端末装置のキーアサイン（キーの割り当て）を変更する（ステップＳ２３）。
【００４０】
キーアサインとは、携帯電話機のキーと、それを押したときの情報または機能（処理）の割り当て（対応付け）をいう。例えば、通常の入力モードでは、ユーザがダイヤルキーを押すと、キーに対応した数字が入力される。また、かな文字入力モードでは、ユーザがメール等の文字を入力するためにダイヤルキーを押すと、キーに対応したあ行・か行・さ行〜の文字が入力される。また、アルファベット入力モードでは、ユーザがダイヤルキーを押すと、キーに対応したアルファベットが入力される。ダイヤルキー以外のその他のキーについても、キーが押されたことによってモードに応じた所定の機能が実行される。このようなキーアサインは、メモリ１７の所定領域にモード毎に設けられたテーブルに設定されている。そして、キーアサインの変更は、モードに合わせてテーブルが切り替えられることによって行われる。具体的には、制御部１９は、ユーザによって所定のキーが押下されたことにより電気信号を入力すると、現在のモードに応じたテーブルを参照し、テーブルにおける電気信号に対応する処理（例えば、情報を入力し表示したり、データを送信したり、音声を出力したりする処理）を実行する。上述したように、「モード起動キー」の設定において、ユーザが緊急事態を通報する際に押下される通報キーとして所定のキー（例えばエニーキー）がテーブルに割り当てられている。制御部１９は、簡易通報モードを起動したときに、そのモードに対応するテーブルに切り替えることにより、キーアサインを簡易通報モードのキーアサインに変更する。
【００４１】
次に、簡易通報モードにおける緊急事態の通報について説明する。図６は、実施の形態１における簡易通報モードにおける緊急事態の通報処理を示すフローチャートである。携帯端末装置の制御部１９は、簡易通報モードを起動すると、通報キー（例えばエニーキー）が押下されることによってキーイベントが発生したかどうかを確認する（ステップＳ３１）。キーイベントが発生すると、制御部１９は、「通信種類設定」において音声とメールがＯＮに設定されている場合は、予め設定された音声のメッセージを予め設定された送信先の電話番号に発信するとともに、予め設定されたメールのメッセージを予め設定された送信先のアドレスに発信（送信）する（ステップＳ３２）。なお、音声とメールのいずれか一方だけＯＮに設定されている場合は、ＯＮに設定されている音声またはメールの発信だけが行われる。そして、制御部１９は、「アラーム設定」においてＯＮに設定されている場合は、報知部１３から予め設定されているアラーム音（例えば「助けて〜」）を鳴動させる（ステップＳ３３）。
【００４２】
その後、所定期間経過しても相手からの応答（レスポンス、返事）がない場合は（ステップＳ３４のＮｏ）、制御部１９は、相手からの応答があるまで再発信し続ける（ステップＳ３５）。ここで、応答がない場合として、音声通話については、接続不可能な場合（例えば相手が携帯電話機であって電源が入っていないか圏外である場合）や接続可能であるが（呼び出し音が鳴っているが）相手の応答がない場合（電話にでない場合）である。メールについては、開封確認通知メールを受信していない場合である。このように応答がない場合、制御部１９は、音声通話については設定されている同じ電話番号に再度発信し、メールについても設定されている同じメールアドレスに再度発信する。
【００４３】
なお、音声とメールのいずれもＯＮに設定されている場合に、そのいずれかから応答があれば再発信は行わない。また、音声のみＯＮに設定されている場合に、相手からの応答がなかったときは、音声による再発信を行うとともに、予め決められた相手（例えば警察）にメールを発信するように構成されていてもよい。同様に、メールのみＯＮに設定されている場合に、相手からの応答がなかったときは、メールによる再発信を行うとともに、予め決められた相手（例えば警察）に音声による発信を行うように構成されていてもよい。
【００４４】
ステップＳ３４において相手からの応答があったときは、緊急事態の通報が確実に相手に伝わったことになる。
【００４５】
以上のように、この実施の形態１によれば、予め設定された時間になると、自動的に簡易通報モードのキーアサインを変更するように構成されているので、ユーザは緊急事態が発生した場合に通報キーを操作するだけで緊急事態の通報を行うことができるため、容易かつ確実に通報することができることになる。また、緊急通報を行うための特別なキーや装置を設ける必要がないので、安価に実現することができる。また、携帯電話機等はユーザが常に携帯されるものであるので、緊急事態が発生したときにユーザが持っている可能性が高く、ユーザの携帯し忘れの可能性は低い。また、自動的に簡易通報モードに切り替わるので、設定し忘れを防止することができる。
【００４６】
また、音声通話、メール、アラームという複数の手段によって通報可能に構成されているので、より確実に相手に緊急事態の発生を通報することができるようになる。また、ＧＰＳ１４を備え、そのＧＰＳ１４によって取得された位置情報も併せて通知するように構成されているので、通報された相手が現場に駆けつけ易くなる。
【００４７】
さらに、相手が応答しないときには、相手が応答するまで再発信するように構成されているので、緊急事態の発生を一層確実に相手に通報することができるようになる。
【００４８】
実施の形態２．
上述した実施の形態１では、カメラ１５を利用していなかったが、この実施の形態２では、カメラ１５を利用して緊急事態の通報を行う。
【００４９】
図７は、実施の形態２における簡易通報モードの詳細設定の内容を示す樹形図である。また、図８は、実施の形態２における簡易通報モードの詳細設定のデフォルト値を示す説明図である。図７に示すように、簡易通報モードの詳細設定の内容には、図３に示した内容と同様に、「時間帯設定」「通信種類設定」「アラーム設定」および「モード起動キー」の４つが設けられている。なお、「時間帯設定」「アラーム設定」「モード起動キー」については、図３に示した内容と同じであるため、重複する説明を省略する。
【００５０】
「通信種類設定」では、通報する際に利用される通信の種類として、「ＴＶ電話」または「メール」あるいはその両方を利用して通報するかどうかが設定される。図８に示すように、デフォルト値は、「ＴＶ電話」および「メール」のいずれもＯＮに設定されている。
【００５１】
「通信種類設定」において「ＴＶ電話」および「メール」の少なくともいずれか一方がＯＮに設定されている場合は、ＯＮに設定されているＴＶ電話またはメールあるいはその両方の送信先が「送信先設定」にて設定可能になる。図８に示すように、デフォルト値は、「ＴＶ電話」については警察の電話番号が設定され、「メール」については同報送信が可能なため警察と自宅のメールアドレスが設定されている。
【００５２】
また、「ＴＶ電話」および「メール」の少なくともいずれか一方がＯＮに設定されている場合は、ＯＮに設定されているＴＶ電話またはメールあるいはその両方の送信メッセージが「送信メッセージ設定」にて設定可能になる。図８に示すように、「ＴＶ電話」についてのデフォルト値は、カメラ１５で撮影している映像に「事件発生」という文字をテロップとして相手の端末の画面に表示させるとともに、ＧＰＳ１４で取得した位置情報を相手の端末の画面に常に表示させる。「メール」についてのデフォルト値は、ＧＰＳ１４によって取得された位置情報とユーザが予め設定しておいたメッセージとが送信（通知）される。また、メールに開封確認通知を付して送信される。
【００５３】
なお、簡易通報モードへの自動切替については図５に示した処理と同様である。よって、重複する説明を省略する。
【００５４】
次に、簡易通報モードにおける緊急事態の通報について説明する。図９は、実施の形態２における簡易通報モードにおける緊急事態の通報処理を示すフローチャートである。携帯端末装置の制御部１９は、簡易通報モードを起動すると、通報キー（例えばエニーキー）が押下されることによってキーイベントが発生したかどうかを確認する（ステップＳ４１）。キーイベントが発生すると、制御部１９は、「通信種類設定」においてＴＶ電話とメールがＯＮに設定されている場合は、ＴＶ電話において予め設定された送信先の電話番号に発信するとともに、メールにおいて予め設定されたメッセージ（添付ファイルなし）を予め設定された送信先のアドレスに発信（送信）する（ステップＳ４２）。なお、ＴＶ電話とメールのいずれか一方だけＯＮに設定されている場合は、ＯＮに設定されているＴＶ電話またはメールの発信だけが行われる。そして、制御部１９は、カメラ１５による撮影を自動的に開始する（ステップＳ４３）。このとき、カメラ１５で撮影している映像（動画）にＧＰＳ１４で取得した位置情報および「事件発生」のテロップを載せて表示部１２に表示する。
【００５５】
その後、ＴＶ電話からの応答（レスポンス、返事）があった場合は（ステップＳ４４のＹｅｓ）、制御部１９は、カメラ１５で撮影している映像およびマイク１８が集音した音声を相手の端末に送信する。このとき、制御部１９は、アラームを鳴動させない。ＴＶ電話しかつながっていないときは、通話時にアラーム音の回り込みが起こるので、それを回避するためである。一方、所定期間経過してもＴＶ電話からの応答がない場合は（ステップＳ４４のＮｏ）、制御部１９は、相手からの開封確認通知のメールを受信したか否かを確認する（ステップＳ４５）。開封確認通知のメールを受信したときは（ステップ４５のＹｅｓ）、制御部１９は、自動撮影した位置情報付きの画像（動画を想定しているが静止画であってもよい）を添付したメールを相手に自動的に送信する（ステップＳ４６）。そして、報知部１３からアラーム音（例えば「助けて〜」）を鳴動させる（ステップＳ４７）。このように、ＴＶ電話がつながったときは、優先してカメラ１５で撮影した映像をＴＶ電話で送信し、ＴＶ電話がつながらずメールの応答（返事）だけがあったときは、カメラ１５で撮影した映像（画像）をメールに添付して相手にメールで送信するように構成している。
【００５６】
ＴＶ電話およびメールの相手からの応答がいずれもない場合は（ステップＳ４５のＮｏ）、相手からの応答があるまで再発信し続ける（ステップＳ４８）。なお、応答がない場合として、ＴＶ電話については、接続不可能な場合や接続可能であるが相手の応答がない場合（電話にでない場合）である。メールについては、開封確認通知メールを受信していない場合である。このように応答がない場合、制御部１９は、ＴＶ電話については設定されている同じ電話番号に再度発信し、メールについても設定されている同じメールアドレスに再度発信する。
【００５７】
なお、ＴＶ電話とメールのいずれもＯＮに設定されている場合に、そのいずれかから応答があれば再発信は行わない。また、ＴＶ電話のみＯＮに設定されている場合に、相手からの応答がなかったときは、ＴＶ電話による再発信を行うとともに、予め決められた相手（例えば警察）にメールを発信するように構成されていてもよい。同様に、メールのみＯＮに設定されている場合に、相手からの応答がなかったときは、メールによる再発信を行うとともに、予め決められた相手（例えば警察）にＴＶ電話による発信を行うように構成されていてもよい。
【００５８】
以上のように、この実施の形態２によれば、ＴＶ電話を用いて緊急事態を通報可能に構成されているので、現場の状況を視覚的に相手に伝えることができる。また、撮影映像が記録されるため、犯人を特定するときの強力な証拠にもなり得る。また、相手がＴＶ電話に応答しないときでも、メールによって応答があったときは映像情報を添付したメールを相手の端末に送信するように構成されているので、一層確実に現場の状況を相手に伝えることができるようになる。
【００５９】
上述したような各実施の形態の構成は一例であって、本発明はそのような構成に限定されるわけではない。例えば、所定の時間になったときに簡易通報モードが起動されるように構成していたが、予め設定された時間になり、かつ、ＧＰＳ１４で取得された位置情報から認識した現在位置が予め設定された特定エリア（場所）であるときに、簡易通報モードが起動されるように構成されていてもよい。このような構成によれば、危険な場所においては確実に簡易通報モードに切り替えることができるとともに、ユーザによって誤操作される可能性を低減させることができる。
【００６０】
また、ユーザが通報キーを押し下げしたことにもとづいて、緊急通報処理を実行するように構成されているが、このような構成に限られるわけではなく、例えば、振動（衝撃）を検出する振動検出センサを携帯端末装置に備え、振動検出センサが所定以上の強度の振動（衝撃）を検出したときにも緊急通報処理を実行するように構成されていてもよい。このような構成によれば、ユーザがキーを押す機会がない場合でも緊急事態が通報されることになる。
【００６１】
また、マイク１８の至近距離から音声が感知されたときでも、位置情報については最初に通知するように構成されていたが、マイク１８の至近距離からの音声が感知されたときは、その音声を優先して通知するように構成されていてもよい。
【００６２】
また、緊急通報処理時のスピーカからの音声出力は最大音量であることが好ましいが、緊急通報処理時には着信音などで設定可能な最大音量よりも大きな音量になるように構成されていてもよい。
【００６３】
また、カメラ１５は動画撮影可能なものを想定していたが、静止画のみ撮影可能なものであってもよい。
【産業上の利用可能性】
【００６４】
本発明は、ユーザが常に携帯する携帯電話機などの携帯端末装置に適用される。
【図面の簡単な説明】
【００６５】
【図１】本発明の携帯端末装置の構成を示す機能ブロック図である。
【図２】簡易通報モードの設定手順を示すフローチャートである。
【図３】実施の形態１における簡易通報モードの詳細設定の内容を示す樹形図である。
【図４】実施の形態１における簡易通報モードの詳細設定のデフォルト値を示す説明図である。
【図５】簡易通報モードへの自動切替の処理を示すフローチャートである。
【図６】実施の形態１における簡易通報モードにおける緊急事態の通報処理を示すフローチャートである。
【図７】実施の形態２における簡易通報モードの詳細設定の内容を示す樹形図である。
【図８】実施の形態２における簡易通報モードの詳細設定のデフォルト値を示す説明図である。
【図９】実施の形態２における簡易通報モードにおける緊急事態の通報処理を示すフローチャートである。
【符号の説明】
【００６６】
１１  操作部
１２  表示部
１３  報知部
１４  ＧＰＳ
１５  カメラ
１６  送受信部
１７  メモリ
１８  マイク
１９  制御部
【図１】
2006268713.tif 000003
【図２】
2006268713.tif 000004
【図３】
2006268713.tif 000005
【図４】
2006268713.tif 000006
【図５】
2006268713.tif 000007
【図６】
2006268713.tif 000008
【図７】
2006268713.tif 000009
【図８】
2006268713.tif 000010
【図９】
2006268713.tif 000011